(57)【特許請求の範囲】
【請求項１】
オシレータと；
前記オシレータによるサンプリングクロック及び搬送波周波数クロックによって、多重経路を通した後に受信されるアナログ信号を処理するＲＦＩＣ（Ｒａｄｉｏ  Ｆｒｅｑｕｅｎｃｙ  Ｉｎｔｅｇｒａｔｅｄ  Ｃｉｒｃｕｉｔ）と；
前記ＲＦＩＣから出力される信号に対して経路別にフィンガ（ｆｉｎｇｅｒ）を割り当てた後にデコーディングし、時間トラッキングを介したタイミング位置（ｔｉｍｉｎｇ  ｐｏｓｉｔｉｏｎ）に対する情報と、定時点（Ｏｎ−ｔｉｍｅ）でサンプリングされたパワーメトリック、及び半チップ早い時点（Ｅａｒｌｙ−ｔｉｍｅ）と半チップ遅い時点（ｌａｔｅ−ｔｉｍｅ）との間のパワーメトリック差を出力するレーク処理部と；
前記定時点（Ｏｎ−ｔｉｍｅ）でサンプリングされたパワーメトリック対比前記半チップ早い時点（Ｅａｒｌｙ−ｔｉｍｅ）と半チップ遅い時点（ｌａｔｅ−ｔｉｍｅ）との間のパワーメトリック差の比率によって、前記オシレータの前記サンプリングクロックを調整するベータ（β）値を算出するＡＦＣ（Ａｕｔｏ  Ｆｒｅｑｕｅｎｃｙ  Ｃｏｎｔｒｏｌｌｅｒ）と；を含み、
前記オシレータのサンプリングクロックを調整するための前記ベータ（β）値は、
最大ＳＮＲを示す定時点（Ｏｎ−ｔｉｍｅ）でサンプリングが実行されるように決定されることを特徴とするレーク受信機。
【請求項２】
前記ベータ（β）値は、
【数４】
0006277291.tif 000007
により算出され、
前記Ｍontimeは、前記定時点（Ｏｎ−ｔｉｍｅ）でサンプリングされたパワーメトリックであり、前記ＭEL_diffは、前記半チップ早い時点（Ｅａｒｌｙ−ｔｉｍｅ）と半チップ遅い時点（ｌａｔｅ−ｔｉｍｅ）との間のパワーメトリック差であり、前記ｘは、速度調節定数であることを特徴とする請求項１に記載のレーク受信機。
【請求項３】
前記前記ベータ（β）値は、
前記
【数５】
0006277291.tif 000008
比率によるタイミングオフセットにより決定され、
前記タイミングオフセットは、以下の表により
【表３】
0006277291.tif 000009
定義されることを特徴とする請求項２に記載のレーク受信機。
【請求項４】
前記ＡＦＣは、
実際周波数オフセットは０であるが、スクランブリングコードによって自己相関が変わりタイミングオフセットによって負（−）の周波数オフセットが存在すると確認される場合、前記ｘの値をより大きく設定することを特徴とする請求項１に記載のレーク受信機。
【請求項５】
オシレータによるサンプリングクロック及び搬送波周波数クロックによって、多重経路を通した後に受信されるアナログ信号を処理するステップと；
前記信号を利用した時間トラッキングを介してタイミング位置（ｔｉｍｉｎｇ  ｐｏｓｉｔｉｏｎ）に対する情報と、定時点（Ｏｎ−ｔｉｍｅ）でサンプリングされたパワーメトリック、及び半チップ早い時点（Ｅａｒｌｙ−ｔｉｍｅ）と半チップ遅い時点（ｌａｔｅ−ｔｉｍｅ）との間のパワーメトリック差を出力するステップと；
前記定時点（Ｏｎ−ｔｉｍｅ）でサンプリングされたパワーメトリック対比前記半チップ早い時点（Ｅａｒｌｙ−ｔｉｍｅ）と半チップ遅い時点（ｌａｔｅ−ｔｉｍｅ）との間のパワーメトリック差の比率によって、ベータ（β）値を算出するステップと；
前記ベータ（β）値によって前記オシレータの前記サンプリングクロックを調整するステップと；を含み、
前記オシレータのサンプリングクロックを調整するための前記ベータ（β）値は、
最大ＳＮＲを示す定時点（Ｏｎ−ｔｉｍｅ）でサンプリングが実行されるように決定されることを特徴とするレーク受信方法。
【請求項６】
前記ベータ（β）値は、
【数６】
0006277291.tif 000010
により算出され、
前記Ｍontimeは、前記定時点（Ｏｎ−ｔｉｍｅ）でサンプリングされたパワーメトリックであり、前記ＭEL_diffは、前記半チップ早い時点（Ｅａｒｌｙ−ｔｉｍｅ）と半チップ遅い時点（ｌａｔｅ−ｔｉｍｅ）との間のパワーメトリック差であり、前記ｘは、速度調節定数であることを特徴とする請求項５に記載のレーク受信方法。
【請求項７】
前記前記ベータ（β）値は、
前記
【数７】
0006277291.tif 000011
比率によるタイミングオフセットにより決定され、
前記タイミングオフセットは、以下の表により
【表４】
0006277291.tif 000012
定義されることを特徴とする請求項６に記載のレーク受信方法。
【請求項８】
実際周波数オフセットは０であるが、スクランブリングコードによって自己相関が変わりタイミングオフセットによって負（−）の周波数オフセットが存在すると確認される場合、前記ｘの値をより大きく設定されることを特徴とする請求項５に記載のレーク受信方法。
【発明の詳細な説明】
【技術分野】
【０００１】
本発明は、移動通信のための端末に関する。
【背景技術】
【０００２】
移動通信技術は、２世代、３世代を経て現在４世代まで進化してきた。
【０００３】
図１は、移動通信システムを示す。
【０００４】
図１を参照して分かるように、無線通信システムは、少なくとも一つの基地局（ｂａｓｅ  ｓｔａｔｉｏｎ、ＢＳ）２０を含む。各基地局２０は、特定の地理的領域（一般的にセルという）２０ａ、２０ｂ、２０ｃ内の端末１０にサービスを提供する。
【０００５】
移動通信技術の発展に応じて、現在は無線でデータを非常に高速に送受信することができるようになった。
【０００６】
さらに、端末１００は、一般的に通話のみが可能な携帯電話から脱して、多様な機能を介してユーザ経験（Ｕｓｅｒ  Ｅｘｐｅｒｉｅｎｃｅ）を向上させることができるスマートフォン（Ｓｍａｒｔ  Ｐｈｏｎｅ）にまで発展した。
【０００７】
他方、近来は人間との相互作用（ｈｕｍａｎ  ｉｎｔｅｒａｃｔｉｏｎ）無しで、即ち、人間の介入無しで装置間または装置とサーバとの間の通信、即ち、ＭＴＣ（Ｍａｃｈｉｎｅ  Ｔｙｐｅ  Ｃｏｍｍｕｎｉｃａｔｉｏｎ）またはモノのインターネット通信（Ｉｎｔｅｒｎｅｔ  ｏｆ  Ｔｈｉｎｇｓ；ＩｏＴ）に対する研究が活発に行われている。前記ＭＴＣまたはＩｏＴは、人間が使用する端末でない機械装置が既存無線通信ネットワークを利用して通信する概念を意味する。このようなＭＴＣまたはＩｏＴは、トラッキング（Ｔｒａｃｋｉｎｇ）、計量（Ｍｅｔｅｒｉｎｇ）、支払（Ｐａｙｍｅｎｔ）、医療分野サービス、遠隔調整など、多様な範ちゅうのサービスのために使われることができる。
【０００８】
一方、ＭＴＣまたはＩｏＴのための機器は、送信データ量が少なくてアップリンク／ダウンリンクのデータ送受信が時々発生する特異性がある。
【０００９】
このような特異性を考慮すると、ＭＴＣまたはＩｏＴのために３世代移動通信であるＷＣＤＭＡ（登録商標）を再び活用することができ、それによって、機器の単価を低めてバッテリ消耗を減らすこともできる。
【００１０】
ここで、ＷＣＤＭＡの根幹であるＣＤＭＡ方式の重要な特徴のうち一つは、レーク（Ｒａｋｅ）受信機能があるということである。レーク（Ｒａｋｅ）受信機能とは、基地局で送信された信号が多重経路によるフェージング（ｆａｄｄｉｎｇ）現象により互いに時間差（即ち、位相差）をおいて受信機に到達する時、前記時差をおいて受信された二つの信号を分離することができる機能を意味する。したがって、レーク受信機能のためには時間同期が重要である。タイミングが合わなくてタイミングオフセット（ｔｉｍｉｎｇ  ｏｆｆｓｅｔ）が発生すると、性能劣化が起こる。
【００１１】
したがって、ＷＣＤＭＡ受信機ではタイミングオフセットを減らすためにオーバーサンプリング（ｏｖｅｒ  ｓａｍｐｌｉｎｇ）をするようになる。しかし、例えば、４倍オーバーサンプリングをしても、１／８チップほどタイミングオフセットが発生すると、これを解決することができる問題点が発生する。このような１／８チップほどのタイミングオフセットを１／２に減らすためには再びオーバーサンプリングレートを２倍増加させて８倍オーバーサンプリングをすることができるが、それによって、複雑性（ｃｏｍｐｌｅｘｉｔｙ）は、非常に大きく増加するようになる。また、８倍オーバーサンプリングをしても、依然として１／１６チップほどのタイミングオフセットは克服することができない。
【００１２】
整理すると、オーバーサンプリングを増加させることは、複雑度を増加させて、メモリ使用のみを増やし、これは根本的な解決方案ではないため、１／（オーバーサンプリングレート＊２）ほどのタイミングオフセットは解決できないという短所がある。
【発明の概要】
【発明が解決しようとする課題】
【００１３】
したがって、本明細書の開示は、前述した問題点を解決することを目的とする。
【課題を解決するための手段】
【００１４】
前述した目的を達成するために、本明細書の一開示は、オーバーサンプリングをせずにタイミングオフセットを減らすことができるようにする受信機構造を提示する。特に、本明細書の開示による受信機構造は、タイミング位置に対する情報を利用してオシレータを制御することによって、タイミングオフセットによる性能劣化を防止することができる。
【００１５】
具体的に、本明細書の一開示によると、レーク受信機が提供される。前記レーク受信機は、オシレータと；前記オシレータによるサンプリングクロック及び搬送波周波数クロックによって、多重経路を通した後に受信されるアナログ信号を処理するＲＦＩＣ（Ｒａｄｉｏ  Ｆｒｅｑｕｅｎｃｙ  Ｉｎｔｅｇｒａｔｅｄ  Ｃｉｒｃｕｉｔ）と；前記ＲＦＩＣから出力される信号に対して経路別にフィンガ（ｆｉｎｇｅｒ）を割り当てた後にデコーディングし、時間トラッキングを介したタイミング位置（ｔｉｍｉｎｇ  ｐｏｓｉｔｉｏｎ）に対する情報と、定時点（Ｏｎ−ｔｉｍｅ）でサンプリングされたパワーメトリック、及び半チップ早い時点（Ｅａｒｌｙ−ｔｉｍｅ）と半チップ遅い時点（ｌａｔｅ−ｔｉｍｅ）との間のパワーメトリック差を出力するレーク処理部と；前記定時点（Ｏｎ−ｔｉｍｅ）でサンプリングされたパワーメトリック対比前記半チップ早い時点（Ｅａｒｌｙ−ｔｉｍｅ）と半チップ遅い時点（ｌａｔｅ−ｔｉｍｅ）との間のパワーメトリック差の比率によって、前記オシレータの前記サンプリングクロックを調整するベータ（β）値を算出するＡＦＣ（Ａｕｔｏ  Ｆｒｅｑｕｅｎｃｙ  Ｃｏｎｔｒｏｌｌｅｒ）と；を含む。
【００１６】
また、本明細書の一開示によると、レーク受信方法が提示される。前記レーク受信方法は、オシレータによるサンプリングクロック及び搬送波周波数クロックによって、多重経路を通した後に受信されるアナログ信号を処理するステップと；前記信号を利用した時間トラッキングを介してタイミング位置（ｔｉｍｉｎｇ  ｐｏｓｉｔｉｏｎ）に対する情報と、定時点（Ｏｎ−ｔｉｍｅ）でサンプリングされたパワーメトリック、及び半チップ早い時点（Ｅａｒｌｙ−ｔｉｍｅ）と半チップ遅い時点（ｌａｔｅ−ｔｉｍｅ）との間のパワーメトリック差を出力するステップと；前記定時点（Ｏｎ−ｔｉｍｅ）でサンプリングされたパワーメトリック対比前記半チップ早い時点（Ｅａｒｌｙ−ｔｉｍｅ）と半チップ遅い時点（ｌａｔｅ−ｔｉｍｅ）との間のパワーメトリック差の比率によって、ベータ（β）値を算出するステップと；前記ベータ（β）値によって前記オシレータの前記サンプリングクロックを調整するステップと；を含む。
【発明の効果】
【００１７】
本明細書の開示によると、オーバーサンプリングをせずにタイミングオフセットを減らすことができるため、オーバーサンプリングを使用することに比べて複雑度が減少されることができる。特に、本明細書の開示によると、タイミング位置に対する情報を利用してオシレータを制御することによって、タイミングオフセットによる性能劣化を防止することができる。
【図面の簡単な説明】
【００１８】
【図１】移動通信システムを示す。
【図２】一般的なＲＦ部の構造を示す。
【図３】本明細書の一開示によるＲＦ部の構造を示す。
【図４】図３のレーク処理部の詳細構造を示す。
【図５】図４に示すフィルタの出力の例を示す。
【図６】本発明の実施例が具現される無線通信システムを示したブロック図である。
【発明を実施するための形態】
【００１９】
本明細書で使われる技術的用語は、単に特定の実施例を説明するために使われたものであり、本発明を限定するものではないことを留意しなければならない。また、本明細書で使われる技術的用語は、本明細書で特別に他の意味で定義されない限り、本発明が属する技術分野において、通常の知識を有する者により一般的に理解される意味で解釈されなければならず、過度に包括的な意味または過度に縮小された意味で解釈されてはならない。また、本明細書で使われる技術的な用語が本発明の思想を正確に表現することができない技術的用語である場合、当業者が正確に理解することができる技術的用語に変えて理解しなければならない。また、本発明で使われる一般的な用語は、辞書の定義によって、または前後の文脈によって解釈されなければならず、過度に縮小された意味で解釈されてはならない。
【００２０】
また、本明細書で使われる単数の表現は、文脈上、明白に異なる意味ではない限り、複数の表現を含む。本出願において、“構成される”または“含む”などの用語は、明細書上に記載された複数の構成要素、または複数のステップを必ず全部含むと解釈されてはならず、そのうち一部構成要素または一部ステップは含まないこともあり、または追加的な構成要素またはステップをさらに含むこともあると解釈されなければならない。
【００２１】
また、本明細書で使われる第１及び第２などのように序数を含む用語は、多様な構成要素の説明に使われることができるが、前記構成要素は、前記用語により限定されてはならない。前記用語は、一つの構成要素を他の構成要素から区別する目的としてのみ使われる。例えば、本発明の権利範囲を外れない限り、第１の構成要素は第２の構成要素と命名することができ、同様に、第２の構成要素も第１の構成要素と命名することができる。
【００２２】
一構成要素が他の構成要素に“連結されている”または“接続されている”と言及された場合、該当他の構成要素に直接的に連結されており、または接続されていることもあるが、中間に他の構成要素が存在することもある。それに対し、一構成要素が他の構成要素に“直接連結されている”または“直接接続されている”と言及された場合、中間に他の構成要素が存在しないと理解しなければならない。
【００２３】
以下、添付図面を参照して本発明による好ましい実施例を詳細に説明し、図面符号に関係なしに同じまたは類似の構成要素は同じ参照番号を付与し、これに対する重なる説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことを留意しなければならない。本発明の思想は、添付図面外に全ての変更、均等物乃至代替物にまで拡張されると解釈されなければならない。
【００２４】
以下、使われる無線機器は、固定されてもよいし、移動性を有してもよく、端末（Ｔｅｒｍｉｎａｌ）、ＭＴ（ｍｏｂｉｌｅ  ｔｅｒｍｉｎａｌ）、ＵＥ（Ｕｓｅｒ  Ｅｑｕｉｐｍｅｎｔ）、ＭＥ（Ｍｏｂｉｌｅ  Ｅｑｕｉｐｍｅｎｔ）、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、携帯機器（Ｈａｎｄｈｅｌｄ  Ｄｅｖｉｃｅ）、ＡＴ（Ａｃｃｅｓｓ  Ｔｅｒｍｉｎａｌ）等、他の用語で呼ばれることもある。
【００２５】
そして、以下で使われる基地局という用語は、一般的に無線機器と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２６】
図２は、一般的なＲＦ部の構造を示す。
【００２７】
図２を参考して分かるように、一般的なレーク受信機は、
【００２８】
無線周波数集積回路（Ｒａｄｉｏ  Ｆｒｅｑｕｅｎｃｙ  Ｉｎｔｅｇｒａｔｅｄ  Ｃｉｒｃｕｉｔ：ＲＦＩＣ）１１と、オシレータ１２と、レーク処理部１３と、自動周波数制御器（Ａｕｔｏ  Ｆｒｅｑｕｅｎｃｙ  Ｃｏｎｔｒｏｌｌｅｒ：ＡＦＣ）１５と、を含むことができる。
【００２９】
前記ＡＦＣ１５は、累積部１５−１、位相対周波数変換部１５−２、アルファ（α）処理部１５−７、たし算器１５−８、そして遅延部（Ｚ-1）１５−９を含む。前記ＡＦＣ１５は、送信機との周波数差を測定した後、前記周波数差を減らす方向に前記オシレータ１２を制御する。
【００３０】
一方、前記オシレータ１２のクロックレート（ｃｌｏｃｋ  ｒａｔｅ）が前記ＡＦＣ１５により修正されると、同時にサンプリングクロックも影響を受けるようになってタイミング位置（ｔｉｍｉｎｇ  ｐｏｓｉｔｉｏｎ）も移動するというような現象が現れ、本特許の発明者は、このような現象に注目した。
【００３１】
その結果、本特許の発明者は、言及した現象を活用することができるオフセット値を適用してオシレータを制御することによって、タイミング位置（ｔｉｍｉｎｇ  ｐｏｓｉｔｉｏｎ）を最大ＳＮＲを得ることができる方向に送ることができるように改善する。
【００３２】
即ち、本明細書の開示によると、一般的なレーク受信機の短所を補完し、性能を向上させるために、タイミング位置（ｔｉｍｉｎｇ  ｐｏｓｉｔｉｏｎ）を最大ＳＮＲを得ることができるようにオシレータを制御することによって、タイミングオフセットによる性能劣化を最小化する。以下、図３を参照して説明する。
【００３３】
図３は、本明細書の一開示によるＲＦ部の構造を示し、図４は、図３のレーク処理部の詳細構造を示す。
【００３４】
図３を参考にして分かるように、本明細書の一開示によるレーク受信機は、無線周波数集積回路（Ｒａｄｉｏ  Ｆｒｅｑｕｅｎｃｙ  Ｉｎｔｅｇｒａｔｅｄ  Ｃｉｒｃｕｉｔ：ＲＦＩＣ）１３１と、オシレータ１３２と、レーク処理部１３３と、自動周波数制御器（Ａｕｔｏ  Ｆｒｅｑｕｅｎｃｙ  Ｃｏｎｔｒｏｌｌｅｒ：ＡＦＣ）１３５を含むことができる。
【００３５】
前記ＲＦＩＣ１３１は、多重経路を通したアナログ信号を受信する。そのために、前記ＲＦＩＣ１３１は、前記オシレータ１３２からサンプリングクロックと搬送波周波数クロックを得る。
【００３６】
前記レーク処理部１３３は、多重経路（ｐａｔｈ）を介して受信される信号で各信号別にフィンガ（ｆｉｎｇｅｒ）を割り当てた後、各信号をデジタルデコーディングする。このようなフィンガ割当動作を介して、前記レーク処理部１３３は、位相メトリック（ｐｈａｓｅ  ｍｅｔｒｉｃ）を推定した後、前記ＡＦＣに伝達する。また、前記レーク処理部１３３は、時間トラッキングを実行してタイミング位置（ｔｉｍｉｎｇ  ｐｏｓｉｔｉｏｎ）に対する情報を得る。
【００３７】
前記ＡＦＣ１３５は、送信機との周波数差を測定した後、前記周波数差を減らす方向に前記オシレータ１３２を制御する。前記ＡＦＣは、累積部１３５−１、位相対周波数変換部１３５−２、ベータ（β）処理部１３５−４、アルファ（α）処理部１３５−７、たし算器１５−８、そして遅延部（Ｚ-1）１３５−９を含む。
【００３８】
前記累積部１３５−１は、前記レーク処理部１３３から伝達された位相メトリックを一定期間累積する。前記位相対周波数変換部１３５−２は、前記累積された位相メトリックを利用して周波数オフセットを算出する。そのために、前記位相対周波数変換部１３５−２は、アークタンジェント（ａｒｃ  ｔａｎｇｅｎｔ）関数を利用することができる。
【００３９】
前記ベータ（β）処理部１３５−４は、前記レーク処理部１３３から前記タイミング位置（ｔｉｍｉｎｇ  ｐｏｓｉｔｉｏｎ）に対する情報を取得した後、前記タイミング位置情報とマッチングされるベータ（β）を求める。
【００４０】
ここで、前記ベータ（β）の値を決定するためには、前述したように、前記レーク処理部１３３から前記タイミング位置（ｔｉｍｉｎｇ  ｐｏｓｉｔｉｏｎ）に対する情報を取得しなければならない。そのために、前記レーク処理部１３３は、図４のように改善されることができる。
【００４１】
図４を参照して分かるように、前記レーク処理部１３３は、フィンガ部１３３−１、複数のダウンサンプリング部１３３−２と、複数のデスクランブリング及び逆拡散部１３３−３、複数の整合フィルタ部１３３−４などを含むことができる。
【００４２】
前記複数のダウンサンプリング部１３３−２は、定時点にサンプリングを実行する定時点ダウンサンプリング部、半チップ早い時点にサンプリングを実行する半チップ早いダウンサンプリング部、半チップ遅い時点にサンプリングを実行する半チップ遅いダウンサンプリング部を含む。
【００４３】
したがって、前記レーク処理部１３３は、以下の数式１による比率を算出する。
【００４４】
【数１】
0006277291.tif 000002
【００４５】
ここで、Ｍontimeは、定時点（Ｏｎ−ｔｉｍｅ）でのメトリックである。そして、ＭEL_diffは、定時点（Ｍontime）と定時点対比半チップ（１／２チップ）前後のメトリックパワー差であり、即ち、ＭEL_diff＝（Ｍearly Ｍlate）である。ここで、Ｍearlyは、定時点対比半チップ早い時点でのメトリックであり、Ｍlateは、定時点対比半チップ遅い時点でのメトリックである。
【００４６】
結局、前記レーク処理部１３３は、定時点でのパワー対比半チップ早い時点でのパワーと半チップ遅い時点でのパワーとの差に基づいて、前記タイミング位置（ｔｉｍｉｎｇ  ｐｏｓｉｔｉｏｎ）に対する情報を算出し、前記ベータ（β）処理部１３５−４に伝達できる。
【００４７】
図４に示すレーク処理部１３３の構造は、例示に過ぎず、もし、別途のタイミングトラッカ（ｔｉｍｉｎｇ  ｔｒａｃｋｅｒ）がある場合、前記レーク処理部１３３の構造が図４のように改善されないこともある。
【００４８】
また、図３を参照すると、前記ベータ（β）処理部１３５−４は、前記レーク処理部１３３から前記タイミング位置（ｔｉｍｉｎｇ  ｐｏｓｉｔｉｏｎ）に対する情報を取得した後、前記タイミング位置情報とマッチングされるベータ（β）を求める。次に、前記ベータ（β）処理部１３５−４は、前記位相対周波数変換部１３５−２から得た前記周波数オフセットに対して前記ベータ（β）を加えることによって周波数オフセットを補償する。
【００４９】
前記アルファ（α）処理部１３５−８は、前記周波数オフセット補償に対してスケーリングファクタである（α）ほどかける。前記たし算器１３５−８は、前記遅延部Ｚ-1１３５−９の出力と前記アルファ（α）処理部１３５−８の出力を加え、前記オシレータ１３２に出力する。
【００５０】
このように、前記ＡＦＣは、タイミングオフセットが最小化されるように前記オシレータ１３２を制御することによって、タイミングオフセットによる性能劣化を最小化することができる。
【００５１】
図５は、図４に示すフィルタの出力の例を示す。
【００５２】
図４に示す整合フィルタ部１３３−３がＳＲＲＣ（Ｓｑｕａｒｅ  Ｒｏｏｔ  Ｒａｉｓｅｄ  Ｃｏｓｉｎｅ）フィルタを使用する場合、前記整合フィルタ部１３３−３の出力パワーは、図５に示すものと同じである。図５において、ｘ軸は一チップの区間であり、単位は１／６４チップである。タイミングオフセットとＭEL_Diff／ＭOntime比の値が１対１マッピングされ、特定タイミングオフセットに対するＭEL_Diff／ＭOntime比の値は、以下の表１の通りである。
【００５３】
例えば、干渉と雑負がないと仮定すると、ＭEL_Diff／ＭOntime比の値が−０．２０３８の場合、表２を参考して分かるように、現在のタイミング位置が最大ＳＮＲを示す位置より１／１６チップほど前方にあるため、サンプリングクロック周波数を低めにする場合、タイミング位置（ｔｉｍｉｎｇ  ｐｏｓｉｔｉｏｎ）が後ろに流れる現象を見せるようになる。
【００５４】
したがって、前記ベータ（β）処理部１３５−４は、ベータ（β）の値を以下の数式によって求めることができる。
【００５５】
【数２】
0006277291.tif 000003
【００５６】
以上の数式において、ｘ値は、最大ＳＮＲを示すタイミング位置に移動させる速度を決定するための定数である。
【００５７】
【表１】
0006277291.tif 000004
【００５８】
【表２】
0006277291.tif 000005
【００５９】
他方、前記数式１で使われるｘを決定する時、下記のような追加的な考慮事項がある。
【００６０】
スクランブリングコードによって自己相関（ａｕｔｏ−ｃｏｒｒｅｌａｔｉｏｎ）特性が異なって実際周波数オフセットが０であるとしても、タイミングオフセット（ｔｉｍｉｎｇ  ｏｆｆｓｅｔ）がある場合、ＩＣＩにより周波数オフセットが存在するように測定される。スクランブリングコードによって最大ＳＮＲ位置対比前方にオフセットがある場合、正（＋）の周波数オフセットが測定される場合もあり、負（−）の周波数オフセットが測定される場合もある。前者の場合、前記ＡＦＣ１３５によりサンプリングクロック周波数が低めるように制御されるため、最大ＳＮＲを示すタイミング位置に移動し、後者の場合、最大ＳＮＲを示すタイミング位置から遠ざかるように移動するようになる。したがって、考慮すべき全てのスクランブリングコードのうち、最大ＳＮＲを示すタイミング位置から遠ざかる方向に周波数オフセットが発生する最大値より大きいｘ値に決定しなければならない。それによって、全てのスクランブリングコードに対して最大ＳＮＲを示すタイミング位置に移動させることができるようになる。
【００６１】
例えば、３．８４  Ｍｃｐｓ  ＷＣＤＭＡシステムにおいて、周波数オフセットが０と仮定し、１／８チップほどのタイミングオフセットが発生した時、スクランブリングコードの自己相関（ａｕｔｏ−ｃｏｒｒｅｌａｔｉｏｎ）特性により測定される周波数オフセットが２０Ｈｚの場合、
【００６２】
【数３】
0006277291.tif 000006
【００６３】
において、定数ｘ値は１／８チップオフセットでＭEL_diff／ＭOntime値は０．４１５０であるため、４８．２より大きくしなければならない。即ち、前記のような例において、ｘ値を４８．２より大きく設定すると、オシレータ１３２によりタイミング位置は、定時点（ｏｎ−ｔｉｍｅ）へ移動するようになる。
【００６４】
以上で説明した本発明の実施例は、多様な手段を介して具現されることができる。例えば、本発明の実施例は、ハードウェア、ファームウェア（ｆｉｒｍｗａｒｅ）、ソフトウェアまたはそれらの結合などにより具現されることができる。具体的には、図面を参照して説明する。
【００６５】
図６は、本発明の実施例が具現される無線通信システムを示したブロック図である。
【００６６】
基地局２００は、プロセッサ（ｐｒｏｃｅｓｓｏｒ）２１０、メモリ（ｍｅｍｏｒｙ）２２０及びＲＦ部（ＲＦ（ｒａｄｉｏ  ｆｒｅｑｕｅｎｃｙ）ｕｎｉｔ）２３０を含む。メモリ２２０は、プロセッサ２１０と連結され、プロセッサ２１０を駆動するための多様な情報を格納する。ＲＦ部２３０は、プロセッサ２１０と連結され、無線信号を送信及び／または受信する。プロセッサ２１０は、提案された機能、過程及び／または方法を具現する。前述した実施例において、基地局の動作は、プロセッサ２１０により具現されることができる。
【００６７】
無線機器１００は、プロセッサ１１０、メモリ１２０及びＲＦ部１３０を含む。メモリ１２０は、プロセッサ１１０と連結され、プロセッサ１１０を駆動するための多様な情報を格納する。ＲＦ部１３０は、プロセッサ１１０と連結され、無線信号を送信及び／または受信する。プロセッサ１１９は、提案された機能、過程及び／または方法を具現する。前述した実施例において、無線機器の動作は、プロセッサ１１０により具現されることができる。
【００６８】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【００６９】
前述した例示的なシステムにおいて、方法は、一連のステップまたはブロックで流れ図に基づいて説明されているが、本発明は、ステップの順序に限定されるものではなく、あるステップは、前述と異なるステップと、異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
0006277291.tif 000013
【図２】
0006277291.tif 000014
【図３】
0006277291.tif 000015
【図４】
0006277291.tif 000016
【図５】
0006277291.tif 000017
【図６】
0006277291.tif 000018